(57)【特許請求の範囲】
【請求項１】
コネクタと、前記コネクタと嵌合可能な相手方のコネクタと、を備えたコネクタユニットにおいて、
前記コネクタが、第１の雌型端子金具を内部に収容する第１の端子収容部と、前記第１の雌型端子金具よりも大きな第２の雌型端子金具を内部に収容する第２の端子収容部と、を一体に備えた第１ハウジング本体と、第１フード部と、を有し、
前記第１フード部は、内部に前記第１ハウジング本体を位置付けるとともに、前記第１ハウジング本体よりも、前記相手方のコネクタ側に突出して設けられ、
前記相手方のコネクタが、
前記第１の雌型端子金具と接続される第１の雄型端子金具と、前記第２の雌型端子金具と接続される第２の雄型端子金具と、を内部に収容する第２ハウジング本体と、
前記第１ハウジング本体と前記第１フード部との間に進入する第２フード部と、を備え、
第２ハウジング本体が、前記第２ハウジング本体の前記第１の端子収容部の端面と重なる面から凹に設けられ、前記第２の端子収容部を内部に位置付ける凹部を備えたことを特徴とするコネクタユニット。
【発明の詳細な説明】
【技術分野】
【０００１】
本発明は、電線の接続等に使用されるコネクタユニットに関する。
【背景技術】
【０００２】
移動体としての自動車には多くの電子機器が搭載されており、電子機器はワイヤハーネスを介して自動車や他の電子機器と接続されている。ワイヤハーネスは、複数の電線と、該電線のそれぞれの端末に取り付けられたコネクタとを備えている。ワイヤハーネスと電子機器とは、それぞれが備えたコネクタ同士が嵌合することにより接続され、ワイヤハーネスは電子機器に電力や制御信号等を伝達する。
【０００３】
このようなコネクタ同士、即ちコネクタユニットは、互いに嵌合可能な一対のコネクタを備えている（例えば特許文献１参照）。一方のコネクタは、第１の雌型端子金具を内部に収容する第１の雌端子収容部と、第１の雌型端子金具よりも大きな第２の雌型端子金具を内部に収容する第２の雌端子収容部と、これら雌端子収容部の外側に設けられたフード部とを備えている。
【０００４】
第２の雌型端子金具には、第１の雌型端子金具よりも太い電線が接続される。第１及び第２の雌端子収容部は一体に形成され、これら雌端子収容部の他方のコネクタと相対する一端部は平坦に形成されている。そして、これら雌端子収容部の他方のコネクタから離れた他端部は、第２の雌端子収容部が突出している。
【０００５】
他方のコネクタは、第１の雄型端子金具の一端部を収容する第１の雄端子収容部と、第２の雄型端子金具の一端部を内部に収容する第２の雄端子収容部と、これら雄端子収容部の一方のコネクタと相対する端部から突出したフード部とを備えている。フード部内には、第１及び第２の雄型端子金具の他端部が突出している。
【０００６】
第２の雄型端子金具には、第１の雄型端子金具よりも太い電線が接続される。第１及び第２の雄端子収容部は一体に形成され、これら雄端子収容部の前述した一端部は平坦に形成されている。そして、これら雄端子収容部の一方のコネクタから離れた他端部は、第２の雄端子収容部が突出している。
【０００７】
前述したコネクタユニットは、一方のコネクタのフード部と第１及び第２の雌端子収容部との隙間に他方のコネクタのフード部が進入して、互いに嵌合する。そして、第１の雄型端子金具が第１の雌型端子金具と接続され、第２の雄型端子金具が第２の雌型端子金具と接続される。
【特許文献１】特開２００４−１４４２６号公報
【発明の開示】
【発明が解決しようとする課題】
【０００８】
前述した特許文献１に記載されたコネクタユニットの一対のコネクタが互いに嵌合すると、第１及び第２の雌型端子金具は、他方のコネクタのフード部内にそれぞれ同一長さ収容される。即ち、第２の雌型端子金具は、第１の雌型端子金具と比較して、他方のコネクタのフード部内に収容される割合が小さくなる。さらに、第２の雌端子収容部及び雄端子収容部の前述した他端部は、それぞれ突出している。
【０００９】
このため、このコネクタユニットが実際に自動車等に搭載されると、走行時の振動によって第２の雌型及び雄型端子金具が振動しやすい。また、第２の雌型及び雄型端子金具には重量の大きな太い電線が取り付けられており、更に振動しやすい。そして、このように端子金具が振動すると、端子金具同士の接点が摩耗して導通不良を起こしたり、最悪の場合は端子金具が破損したりしてしまうといった問題があった。
【００１０】
本発明は、このような問題を解決することを目的としている。即ち、本発明は、振動による端子金具同士の導通不良を防止したコネクタユニットを提供することを目的としている。
【課題を解決するための手段】
【００１１】
前記課題を解決し目的を達成するために、請求項１に記載された発明は、コネクタと、前記コネクタと嵌合可能な相手方のコネクタと、を備えたコネクタユニットにおいて、 前記コネクタが、第１の雌型端子金具を内部に収容する第１の端子収容部と、前記第１の雌型端子金具よりも大きな第２の雌型端子金具を内部に収容する第２の端子収容部と、を一体に備えた第１ハウジング本体と、第１フード部と、を有し、前記第１フード部は、内部に前記第１ハウジング本体を位置付けるとともに、前記第１ハウジング本体よりも、前記相手方のコネクタ側に突出して設けられ、前記相手方のコネクタが、前記第１の雌型端子金具と接続される第１の雄型端子金具と、前記第２の雌型端子金具と接続される第２の雄型端子金具と、を内部に収容する第２ハウジング本体と、前記第１ハウジング本体と前記第１フード部との間に進入する第２フード部と、を備え、第２ハウジング本体が、前記第２ハウジング本体の前記第１の端子収容部の端面と重なる面から凹に設けられ、前記第２の端子収容部を内部に位置付ける凹部を備えたことを特徴とするコネクタユニットである。
【発明の効果】
【００１３】
請求項１に記載された発明によれば、第２の端子収容部が第１の端子収容部よりも相手方のコネクタに向かって突出して設けられている。このため、第２の端子収容部（即ち第２の雌型端子金具）の相手方のコネクタ内に収容される部分が長くなり、コネクタが振動した際にその影響をより受けやすい第２の雌型端子金具の振動を防止できる。したがって、振動による端子金具同士の導通不良を防止して、コネクタの振動を防止できる。また、第２の端子収容部の相手方のコネクタ内に収容される部分が長くなることで規制量が大きくなって、コネクタ同士の傾きを抑えることができる。
【００１４】
さらに、第２の端子収容部が相手方のコネクタに向かって突出することで、第２の端子
収容部の相手方のコネクタから離れた側、即ち端子挿入側の突出量を抑えることができる
。このため、端子挿入側の第１の端子収容部と第２の端子収容部の段差が小さくなって端
子金具を挿入しやすくなり、組付時の作業性を向上させることができる。また、相手方のコネクタが、突出した第２の端子収容部を内部に位置付ける凹部を備えている。このため、コネクタ同士が互いに嵌合すると第２の端子収容部の突出部分が凹部内に収容されて、第２の端子収容部が保持される。したがって、コネクタが振動した際にその影響をより受けやすい第２の雌型端子金具の振動を確実に防止して、コネクタユニット全体の振動を防止できる。また、凹部内から第２の雄型端子金具が突出するので、第２の雄型端子金具の先端をより奥側に配することができ、第２の雄型端子金具のこじりを防止できる。
【発明を実施するための最良の形態】
【００１６】
以下、本発明の一実施形態にかかるコネクタユニットを図１ないし図５を参照して説明する。本発明の一実施形態にかかるコネクタユニット１は、図５に示すように、コネクタ１０と、コネクタ１０と嵌合可能な相手方のコネクタ５０とを備えている。
【００１７】
コネクタ１０は、図１及び図２に示すように、第１の雌型端子金具（以下、第１の雌端子という）１１と、第２の雌型端子金具（以下、第２の雌端子という）１２と、コネクタハウジング２０と、レバー３０と、パッキン４０とを備えている。
【００１８】
第１の雌端子１１は、本実施形態では４つ設けられている（図１）。第１の雌端子１１は、導電性の板金等を折り曲げる等して形成されている。第１の雌端子１１は、電線接続部と、電気接触部とを一体に備えている。電線接続部は、複数の加締め片を備えている。電線接続部は、加締め片が電線の端末等を加締めて、この電線の芯線と電気的に接続される。電気接触部は、筒状に形成され、内部に後述する第１の雄端子５１の一端部を位置付け且つこの一端部を保持する。
【００１９】
第２の雌端子１２は、本実施形態では１つ設けられている。第２の雌端子１２は、導電性の板金等を折り曲げる等して形成されている。第２の雌端子１２は、電線接続部と、電気接触部とを一体に備えている。電線接続部は、複数の加締め片を備えている。電線接続部は、加締め片が電線の端末等を加締めて、この電線の芯線と電気的に接続される。電気接触部は、筒状に形成され、内部に後述する第２の雄端子５２の一端部を位置付け且つこの一端部を保持する。
【００２０】
前述した第２の雌端子１２は、第１の雌端子１１よりも大きい。即ち、第２の雌端子１２は、第１の雌端子１１よりも長く、外径が大きい。第２の雌端子１２は、第１の雌端子１１よりも電流容量が大きい。例えば、第１の雌端子１１は信号用とされ、制御信号等を伝送する小径の電線と接続される。また、第２の雌端子１２は電源用とされ、前述した小径の電線よりも大径の（断面積の大きな）、バッテリ等からの電力を供給する電線と接続される。
【００２１】
コネクタハウジング２０は、絶縁性の合成樹脂等から形成されている。コネクタハウジング２０は、図１及び図２に示すように、ハウジング本体２１と、フード部２２とを一体に備えている。ハウジング本体２１は、第１の端子収容部２３と、第２の端子収容部２４とを備えている。
【００２２】
第１の端子収容部２３は、直線孔状の端子収容室２３ａを４つ有し、筒状に形成されている。これら端子収容室２３ａは、互いに平行に設けられている。これら端子収容室２３ａは、第１の雌端子１１を内部に収容する。第１の端子収容部２３には、第１の雌端子１１の脱落を防止するスペーサ２９が取り付けられている。
【００２３】
第２の端子収容部２４は、第１の端子収容部２３と一体に形成され、コネクタ１０、５０が接離する（近づいたり離れたりする）方向Ａ（図２等に示す）に直交する方向に沿って第１の端子収容部２３と並んで設けられている。第２の端子収容部２４は、直線孔状の端子収容室２４ａを１つ有し、筒状に形成されている。端子収容室２４ａは、第１の端子収容部２３の端子収容室２３ａと平行に設けられている。端子収容室２４ａは、第２の雌端子１２を内部に収容する。
【００２４】
前述した第２の端子収容部２４は、第１の雌端子１１よりも長い第２の雌端子１２を内部に収容するので、第１の端子収容部２３よりも長く形成されている。そして、図２に示すように、第２の端子収容部２４の相手方のコネクタ５０と相対する一端部２４ｂは、第１の端子収容部２３よりも相手方のコネクタ５０に向かって突出している。また、相手方のコネクタ５０から離れた他端部２４ｃは、第１の端子収容部２３よりも相手方のコネクタ５０から離れる方向に突出している。
【００２５】
フード部２２は、フード状に形成され、内部にハウジング本体２１を位置付ける。フード部２２は、ハウジング本体２１と隙間をあけて配されている。フード部２２には、図１に示すように、レバー支持突起（図示せず）と、突出ピン通し孔２６と、直線溝２７と、ロックアーム２８とが設けられている。
【００２６】
レバー支持突起は、円柱状に形成され、フード部２２の外表面からフード部２２の外方向に突出している。レバー支持突起は、フード部２２の軸心を挟んで一対設けられている。レバー支持突起は、レバー３０を回転自在に支持する。
【００２７】
突出ピン通し孔２６は、フード部２２を貫通している。突出ピン通し孔２６は、フード部２２の相手方のコネクタ５０と相対する端部からコネクタ１０、５０が接離する方向Ａに沿って直線状に延びている。突出ピン通し孔２６は、フード部２２の軸心を挟んで一対設けられている。
【００２８】
直線溝２７は、フード部２２の内面から凹に設けられている。直線溝２７は、フード部２２の相手方のコネクタ５０と相対する端部からコネクタ１０、５０が接離する方向Ａに沿って直線状に延びている。直線溝２７は、フード部２２の軸心を挟んで一対設けられている。
【００２９】
ロックアーム２８は、コ字状に形成され、図２に示すようにフード部２２の外表面から突出している。ロックアーム２８は、コネクタ１０、５０が接離する方向Ａに沿って設けられている。ロックアーム２８の相手方のコネクタ５０寄りの一端部はフード部２２に連なり、相手方のコネクタ５０から離れた他端部は自由端とされている。ロックアーム２８は、この他端部がフード部２２の内方向に変位するように弾性変形自在である。また、この他端部には、フード部２２の外方向に向かって突出したロック突部２８ａが設けられている。
【００３０】
レバー３０は、図１に示すように、一対の側板部３１と、一対の側板部３１の一端部同士を互いに連結する連結板部３２とを備え、コ字状に形成されている。一対の側板部３１は、平板状に形成され、互いに間隔をあけて平行に配されている。レバー３０は、丸孔（図示せず）と、カム孔３４と、仮係止アーム３５と、ロック部３６（図２）とが設けられている。
【００３１】
丸孔は、それぞれの側板部３１を貫通して設けられ、内部にレバー支持突起を通す。レバー３０は、一対の側板部３１が互いの間にコネクタハウジング２０を位置付けるようにフード部２２の外表面に重ねられ、かつ、丸孔内にレバー支持突起が通されて、これら丸孔及びレバー支持突起を中心として回転自在にコネクタハウジング２０に取り付けられる。レバー３０は、仮係止位置（図１及び図２）と本係止位置（図５）とに亘って回転自在にコネクタハウジング２０に取り付けられる。
【００３２】
カム孔３４は、それぞれの側板部３１を貫通して設けられ、側板部３１の外縁に開口している。カム孔３４は、丸孔を中心とした周方向に沿って設けられ、前記外縁から中央に向かって延びている。カム孔３４は、前記外縁から中央に向かうにしたがって、徐々に丸孔に近づく方向に延びている。レバー３０が仮係止位置に位置付けられると、カム孔３４はコネクタ１０の突出ピン通し孔２６と連通する。
【００３３】
仮係止アーム３５は、それぞれの側板部３１に設けられ、コネクタ１０、５０が接離する方向Ａに沿って延びている。仮係止アーム３５の丸孔寄りの一端部は側板部３１に連なり、丸孔から離れた他端部は自由端とされている。仮係止アーム３５は、この他端部がレバー３０の外方向に変位するように弾性変形自在である。また、この他端部には、レバー３０の内方向に向かって突出した突部が設けられている。仮係止アーム３５は、レバー３０が仮係止位置にあるときには、図１に示すように突部をコネクタハウジング２０の突出ピン通し孔２６内に突出させて、レバー３０を仮係止位置に係止する。
【００３４】
ロック部３６は、図２に示すように連結板部３２に設けられている。ロック部３６は、レバー３０が本係止位置に位置付けられると、図５に示すようにコネクタハウジング２０のロックアーム２８に設けられたロック突部２８ａと係合して、レバー３０を本係止位置に係止する。
【００３５】
パッキン４０は、ゴム等の弾性材料からなり、筒状（円環状）に形成されている。パッキン４０は、図２に示すように、ハウジング本体２１とフード部２２との隙間に配され、該隙間の奥側に配されている。コネクタ１０、５０同士が互いに嵌合すると、前記隙間に相手方のコネクタ５０のフード部６３が進入してパッキン４０を弾性変形させる。その後、パッキン４０は弾性復元して、ハウジング本体２１と相手方のコネクタ５０のフード部６３との間を水密に保ってコネクタユニット１内に水等の液体が浸入するのを防止する（なお、便宜上、図５においてパッキン４０は弾性変形する前の形状で描画されている）。
【００３６】
相手方のコネクタ５０は、例えば、図４に示すように自動車等に搭載される電子機器２に直付けされている。相手方のコネクタ５０は、図３及び図４に示すように、第１の雄型端子金具（以下、第１の雄端子という）５１と、第２の雄型端子金具（以下、第２の雄端子という）５２と、コネクタハウジング６０とを備えている。
【００３７】
第１の雄端子５１は、導電性の金属材料から形成され、タブ状に形成されている。第１の雄端子５１の一端部はコネクタハウジング６０のフード部６３（後述）内に突出し、中央部はハウジング本体６２（後述）内に保持されている。第１の雄端子５１の他端部は、電子機器２内に突出し、例えば電子機器２内の回路基板等と電気的に接続される。第１の雄端子５１は、前述した第１の雌端子１１に対応して４つ設けられている（図３）。これら第１の雄端子５１は、互いに平行に配されている。第１の雄端子５１は、コネクタ１０、５０同士が互いに嵌合すると第１の雌端子１１と電気的に接続する。
【００３８】
第２の雄端子５２は、導電性の金属材料から形成され、第１の雄端子５１よりも太いタブ状に形成されている。第２の雄端子５２の一端部は凹部６４（後述）からフード部６３内に突出し、中央部はハウジング本体６２内に保持されている。第２の雄端子５２の他端部は、電子機器２内に突出し、例えば電子機器２内の回路基板等と電気的に接続される。第２の雄端子５２は、前述した第２の雌端子１２に対応して１つ設けられている。第２の雄端子５２は、第１の雄端子５１と平行に配されている。第２の雄端子５２は、コネクタ１０、５０同士が互いに嵌合すると第２の雌端子１２と電気的に接続する。
【００３９】
前述した第２の雄端子５２は、第１の雄端子５１よりも大きい。即ち、第２の雄端子５２は、第１の雄端子５１よりも長くかつ幅広に形成されている。第２の雄端子５２は、第１の雄端子５１よりも電流容量が大きい。例えば、第１の雄端子５１は信号用とされ、第１の雌端子１１と接続されて電子機器２に制御信号等を伝送する。また、第２の雄端子５２は電源用とされ、第２の雌端子１２と接続されて電子機器２にバッテリ等からの電力を供給する。
【００４０】
コネクタハウジング６０は、絶縁性の合成樹脂等から形成されている。コネクタハウジング６０は、図３及び図４に示すように、平板部６１と、第３の端子収容部としてのハウジング本体６２と、フード部６３とを一体に備えている。平板部６１は、矩形平板状に形成され、電子機器２の外表面に重ねられる。平板部６１の四隅には、平板部６１即ち相手方のコネクタ５０を電子機器２に固定するための貫通孔６１ａ（図３）が設けられている。
【００４１】
ハウジング本体６２は、平板部６１から突出している。ハウジング本体６２は、矩形ブロック状に形成され、第１の雄端子５１と第２の雄端子５２とを内部に収容する。ハウジング本体６２には、凹部６４が設けられている。
【００４２】
凹部６４は、図４に示すように、ハウジング本体６２のコネクタ１０と相対する一つの面６２ａから凹に設けられている。このハウジング本体６２の面６２ａは、図５に示すように、コネクタ１０、５０同士が嵌合すると第１の端子収容部２３の端面２３ｂと重なり合う。凹部６４は、平面形状が矩形状に形成されるとともに、第２の端子収容部２４の第１の端子収容部２３よりも突出した一端部２４ｂと略同形状に形成されている。コネクタ１０、５０同士が互いに嵌合すると、凹部６４は、第２の端子収容部２４の前記一端部２４ｂを内部に位置付ける。
【００４３】
さらに、コネクタハウジング６０には、図３に示すように、突出ピン６５と、解除突部６６と、リブ６７とが設けられている。突出ピン６５は、円柱状に形成され、ハウジング本体６２及びフード部６３の外表面からハウジング本体６２及びフード部６３の外方向に突出している。突出ピン６５は、ハウジング本体６２の軸心を挟んで一対設けられている。突出ピン６５は、コネクタ１０、５０同士が互いに近づいていくと、コネクタ１０の突出ピン通し孔２６内に通された後、レバー３０のカム孔３４内に通される。
【００４４】
解除突部６６は、ハウジング本体６２の外表面からハウジング本体６２の外方向に突出している。解除突部６６は、コネクタ１０、５０が接離する方向Ａに沿ったリブ状に形成されている。解除突部６６は、一対の突出ピン６５のそれぞれの突出ピン６５の近傍に配されて、一対設けられている。
【００４５】
前述した解除突部６６は、コネクタ１０、５０同士が互いに近づいていくと、コネクタ１０の突出ピン通し孔２６に通されて突出ピン通し孔２６内に突出した仮係止アーム３５の突部と接触する。そして、解除突部６６は、仮係止アーム３５を弾性変形させて突部を突出ピン通し孔２６から押し出して、仮係止アーム３５によるレバー３０の仮係止位置への係止を解除する。
【００４６】
リブ６７は、ハウジング本体６２の外表面からハウジング本体６２の外方向に突出している。リブ６７は、コネクタ１０、５０が接離する方向Ａに沿って設けられている。リブ６７は、コネクタ１０の直線溝２７内に通される。
【００４７】
前述した構成のコネクタ１０、５０同士を互いに嵌合させてコネクタユニット１を組み立てるには、まず、コネクタ１０において、レバー３０の一対の側板部３１をコネクタハウジング２０のフード部２２の外表面に重ねて丸孔内にレバー支持突起を通し、レバー３０をコネクタハウジング２０に回転自在に取り付ける。このとき、レバー３０の仮係止アーム３５の突部をコネクタハウジング２０の突出ピン通し孔２６内に突出させてレバー３０を仮係止位置に位置付け、カム孔３４と突出ピン通し孔２６とを連通させておく（図１）。
【００４８】
そして、このコネクタ１０と相手方のコネクタ５０とを矢印Ａ方向に沿って相対させて互いに近づけていき、コネクタ１０のハウジング本体２１とフード部２２との隙間に相手方のコネクタ５０のフード部２２を進入させていく。すると、相手方のコネクタ５０の突出ピン６５が、突出ピン通し孔２６内に通されるとともに、レバー３０のカム孔３４内に通されていく。このとき、相手方のコネクタ５０の解除突部６６が突出ピン通し孔２６内に通されて、仮係止アーム３５によるレバー３０の仮係止位置への係止を解除する。
【００４９】
その後、レバー３０を、レバー支持突起を中心として矢印Ｂ方向（図２）に回転させていく。すると、突出ピン６５がカム孔３４内の奥側に進入していき、相手方のコネクタ５０がコネクタ１０に徐々に近づいていく。そして、レバー３０のロック部３６とコネクタ１０のロックアーム２８とを係合させてレバー３０を本係止位置に位置付ける。
【００５０】
すると、相手方のコネクタ５０のハウジング本体６２の前述した面６２ａがコネクタ１０の第１の端子収容部２３の端面２３ｂと重なり合うとともに、相手方のコネクタ５０の凹部６４内にコネクタ１０の第２の端子収容部２４の一端部２４ｂが収容される。そして、コネクタ１０、５０同士が互いに嵌合し、第１の雄端子５１と第１の雌端子１１とが電気的に接続され、第２の雄端子５２と第２の雌端子１２とが電気的に接続される（図５）。
【００５１】
本実施形態によれば、第２の端子収容部２４の一端部２４ｂが第１の端子収容部２３よりも相手方のコネクタ５０に向かって突出して設けられている。このため、第２の端子収容部２４（即ち第２の雌端子１２）の相手方のコネクタ５０内に収容される部分が長くなり、コネクタ１０が振動した際にその影響をより受けやすい第２の雌端子１２の振動を防止できる。したがって、振動による第２の雄端子５２と第２の雌端子１２間の導通不良を防止して、コネクタ１０の振動を防止できる。また、第２の端子収容部２４の相手方のコネクタ５０内に収容される部分が長くなることで規制量が大きくなって、コネクタ１０、５０の相対的な傾きを抑えることができる。
【００５２】
さらに、第２の端子収容部２４が相手方のコネクタ５０に向かって突出することで、第２の端子収容部２４の相手方のコネクタ５０から離れた側、即ち端子挿入側の突出量を抑えることができる。このため、端子挿入側の第１の端子収容部２３と第２の端子収容部２４の段差が小さくなって第１及び第２の雌端子１１、１２を挿入しやすくなり、組付時の作業性を向上させることができる。
【００５３】
相手方のコネクタ５０が、突出した第２の端子収容部２４の一端部２４ｂを内部に位置付ける凹部６４を備えている。このため、コネクタ１０、５０同士が互いに嵌合するとこの一端部２４ｂが凹部６４内に収容されて、第２の端子収容部２４が保持される。したがって、コネクタ１０が振動した際にその影響をより受けやすい第２の雌端子１２の振動を確実に防止して、コネクタユニット１全体の振動を防止できる。また、凹部６４内から第２の雄端子５２が突出するので、第２の雄端子５２の先端をより奥側に配することができ、第２の雄端子５２のこじりを防止できる。
【００５４】
本実施形態においては、第１の端子収容部２３と第２の端子収容部２４とが１つずつ設けられていた。しかしながら本発明では、これら端子収容部２３、２４がそれぞれ複数設けられていてもよい。そして、第２の端子収容部２４の突出部分が複数あってもよい。この場合、凹部６４は、複数の突出部分に対応して複数設けられていてもよく、複数の突出部分を収容可能なように１つ設けられていてもよい。
【００５５】
また、本実施形態においては、凹部６４が設けられていた。しかしながら本発明では、第２の端子収容部２４の保持力が低下するものの凹部６４は必ずしも設けられていなくてもよく、例えば、ハウジング本体６２の面６２ａ全体を奥側に形成してもよい。また、本実施形態においては、第１の端子収容部２３に第１の雌端子１１が４つ収容され、第２の端子収容部２４に第２の雌端子１２が１つ収容されていたが、これら端子収容部２３、２４に収容される雌端子１１、１２の数はそれぞれいくつであってもよい。勿論、ハウジング本体６２内に収容される第１の雄端子５１、第２の雄端子５２の数も、雌端子１１、１２に対応する数であればいくつであってもよい。また本実施形態においては、コネクタ１０はレバー３０を備えていたが、レバー３０を備えていなくてもよい。
【００５６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５７】
【図１】本発明の一実施形態にかかるコネクタユニットのコネクタを示す正面図である。
【図２】図１中のＩＩ−ＩＩ線に沿った断面図である。
【図３】相手方のコネクタを示す正面図である。
【図４】図３中のＩＶ−ＩＶ線に沿った断面図である。
【図５】図１及び図３に示されたコネクタ同士が互いに嵌合した状態を示す断面図である。
【符号の説明】
【００５８】
１    コネクタユニット
１０    コネクタ
１１    第１の雌端子（第１の雌型端子金具）
１２    第２の雌端子（第２の雌型端子金具）
２３    第１の端子収容部
２４    第２の端子収容部
５０    相手方のコネクタ
５１    第１の雄端子（第１の雄型端子金具）
５２    第２の雄端子（第２の雄型端子金具）
６２    ハウジング本体（第３の端子収容部）
６２ａ    面
６４    凹部
【図１】
0005074962.tif 000002
【図２】
0005074962.tif 000003
【図３】
0005074962.tif 000004
【図４】
0005074962.tif 000005
【図５】
0005074962.tif 000006